(57)【要約】  【課題】  放電ランプ点灯装置において、行われた保護動作の原因を、該動作終了後の時間帯において究明可能な技術の提供。  【解決手段】  ＥＥＰＲＯＭなどの不揮発性のメモリを設け、所定期間における放電ランプ点灯装置内の所定の回路ポイントにおける電流情報や電圧情報を検出して該メモリ内に保存し、該所定期間の経過後にそれを読み出して解析する構成とする。【選択図】  図２
2006164698.tif 000002
【特許請求の範囲】
【請求項１】
放電ランプに電力を供給して点灯を行う放電ランプ点灯装置であって、
入力された電力を制御して出力する電力制御回路と、
上記放電ランプの点灯を開始させるための所定の高電圧を発生するイグナイタ回路と、
上記電力制御回路の出力電圧情報と上記放電ランプの駆動電流情報とに基づき、上記電力制御回路を制御する演算処理回路と、
上記演算処理回路に接続され、該演算処理回路の指示に基づき、所定期間における上記出力電圧情報または上記駆動電流情報の少なくともいずれかを保存する不揮発性のメモリと、
を備え、上記所定期間の経過後、上記演算処理回路が上記メモリに保存された情報を読み出し、該情報に基づき該所定期間中の上記放電ランプまたは当該放電ランプ点灯装置の状態を判別する構成としたことを特徴とする放電ランプ点灯装置。
【請求項２】
放電ランプに電力を供給して点灯を行う放電ランプ点灯装置であって、
入力された電力を制御して出力する電力制御回路と、
上記放電ランプの点灯を開始させるための所定の高電圧を発生するイグナイタ回路と、
上記電力制御回路の出力電圧情報と上記放電ランプの駆動電流情報とに基づき、上記電力制御回路を制御する演算処理回路と、
当該放電ランプ点灯装置の温度を検知し対応する信号を出力する温度検知手段と、
上記演算処理回路に接続され、該演算処理回路の指示に基づき、所定期間における上記電力制御回路の入力電圧情報、上記出力電圧情報、上記駆動電流情報または上記温度検知手段の出力情報の少なくともいずれかを保存する不揮発性のメモリと、
を備え、上記所定期間の経過後、上記演算処理回路が上記メモリに保存された情報を読み出し、該情報に基づき該所定期間中の上記放電ランプまたは放電ランプ点灯装置の状態を判別する構成としたことを特徴とする放電ランプ点灯装置。
【請求項３】
上記演算処理回路は、当該放電ランプ点灯装置の外部回路と双方向通信を行い、該外部回路からのコマンドに応じ、上記メモリ内に保存された情報を読み出す構成である請求項１または請求項２に記載の放電ランプ点灯装置。
【請求項４】
上記演算処理回路は、上記メモリに保存される情報量が所定量を超えるとき、最新の情報を、最も古い情報のアドレスに上書きするとともに、該最新の情報の保存場所を示すアドレス情報を該メモリに保存する構成である請求項１または請求項２に記載の放電ランプ点灯装置。
【請求項５】
上記演算処理回路は、上記放電ランプが点灯している期間にのみ、上記情報を上記メモリに保存する構成である請求項１または請求項２に記載の放電ランプ点灯装置。
【請求項６】
請求項１から５のいずれかに記載の放電ランプ点灯装置と、
上記放電ランプ点灯装置側から照射された光を変調し映像信号に対応した光学像を形成する映像表示素子と、
映像信号に基づき上記映像表示素子を駆動する駆動回路と、
を備えて成ることを特徴とする映像表示装置。
【請求項７】
請求項１から５のいずれかに記載の放電ランプ点灯装置と、
上記放電ランプ点灯装置側から照射された光を変調し映像信号に対応した光学像を形成する映像表示素子と、
映像信号または上記メモリに保存された情報に基づき、上記映像表示素子を駆動する駆動回路と、
を備え、上記所定期間の経過後にも、上記メモリに保存された情報に基づき、該所定期間における上記放電ランプ点灯装置の状態を表示可能とした構成を特徴とする映像表示装置。
【請求項８】
請求項１から５のいずれかに記載の放電ランプ点灯装置と、
上記メモリに保存された情報に基づき、放電ランプまたは上記放電ランプ点灯装置の状態の表示を行う表示部と、
上記放電ランプ点灯装置側から照射された光を変調し映像信号に対応した光学像を形成する映像表示素子と、
映像信号に基づき、上記映像表示素子を駆動する駆動回路と、
を備え、上記所定期間の経過後にも、上記メモリに保存された上記情報に基づき、該所定期間における上記放電ランプ点灯装置の状態を上記表示部に表示可能とした構成を特徴とする映像表示装置。
【請求項９】
上記メモリに保存された情報としての、上記電力制御回路の上記出力電圧情報が最大電圧値を示し、上記放電ランプの駆動電流情報が最小駆動電流値を示し、上記演算処理回路が過電圧による保護動作を行った場合は、該保護動作の原因が上記放電ランプの不具合に起因したランプ不点灯にある可能性が高い旨の表示を行う、上記電力制御回路の入力電圧情報が異常入力電圧値を示す場合は、その原因がシステム異常に起因したランプ不点灯にある可能性が高い旨の表示を行う、上記出力電圧情報が閾値を超えた出力電圧値を示し、上記演算処理回路が過電圧による保護動作を行った場合は、該保護動作の原因が上記放電ランプの不具合に起因したランプ立ち消えにある可能性が高い旨の表示を行う、上記入力電圧情報が異常に低下した入力電圧値を示す場合は、その原因がシステム異常に起因したランプ立ち消えにある可能性が高い旨の表示を行う、上記出力電圧情報が正常値を示すもしくは正常値の後に閾値を超えた出力電圧値を示し、上記演算処理回路が過電圧による保護動作を行った場合は、該保護動作の原因が上記放電ランプの不具合に起因したランプ破裂にある可能性が高い旨の表示を行う、上記駆動電流情報が異常に増加した駆動電流値を示し、上記温度検知手段の出力情報が閾値を超えた出力値を示し、上記演算処理回路が過電圧による保護動作を行った場合は、該保護動作の原因がバラスト異常に起因したランプ破裂にある可能性が高い旨の表示を行う、上記出力電圧情報が閾値以下の出力電圧値を示し、上記温度検知手段の出力情報が閾値を超えた出力値を示し、上記演算処理回路が過電圧による保護動作を行った場合は、該保護動作の原因がランプ膨れを含むランプ不具合に起因したランプ立ち消えにある可能性が高い旨の表示を行う、の少なくともいずれかの表示が可能である請求項７または請求項８に記載の映像表示装置。
【請求項１０】
上記メモリに保存された情報として、上記電力制御回路の上記出力電圧情報が閾値以下の出力電圧値を示し、上記演算処理回路が低電圧による保護動作を行った場合は、該保護動作の原因がランプ内のブリッジ現象にある可能性が高い旨の表示を行う、上記駆動電流情報が異常に低下した駆動電流値を示し、上記メモリ内のパルス重畳電流が異常に低下した場合は、その原因がバラスト異常またはシステム異常に起因したフリッカ抑圧機能の低下にある旨の表示を行う、上記温度検知手段の出力情報が閾値を超えた出力値を示し、上記演算処理回路が過熱による保護動作を行った場合は、該保護動作の原因がバラスト空冷異常などによる発熱にある旨の表示を行う、上記出力電圧情報が閾値以下の出力電圧値であって、上記温度検知手段の出力情報が閾値を超えた出力値を示し、上記演算処理回路が過熱による保護動作を行った場合は、該保護動作の原因がランプ不具合による発熱にある旨の表示を行う、上記駆動電流情報が閾値以下の駆動電流値を示す場合は、その原因がバラスト異常に起因した出力低下にある可能性が高い旨の表示を行う、上記駆動電流情報が閾値以下の駆動電流値を示し、上記入力電圧情報が閾値以下の入力電圧値を示す場合は、その原因がシステム異常に起因した出力低下にある可能性が高い旨の表示を行う、上記出力電圧情報が閾値以上の出力電圧値を示す場合は、ランプが異常のため交換を要する旨の表示を行う、の少なくともいずれかの表示が可能である請求項７または請求項８に記載の映像表示装置。
【発明の詳細な説明】
【技術分野】
【０００１】
本発明は、液晶プロジェクタ等の映像表示装置に用いる放電ランプ点灯装置に係り、特に、保護動作が行われたとき、該保護動作の原因を究明するための技術に関する。
【背景技術】
【０００２】
従来、液晶プロジェクタ等の映像表示装置の光源としては、変換効率が高く、点光源に近いものとして、メタルハライドランプや高圧水銀ランプなどの高圧放電ランプ（放電ランプ）が用いられている。該高圧放電ランプの点灯には、専用の放電ランプ点灯装置が用いられ、該放電ランプ点灯装置から該高圧放電ランプに対し、点灯に必要な電圧及び電流が供給されるようになっている。放電ランプ点灯装置の従来技術として、文献に記載されたものとしては、例えば、特開平５−７４５８３号公報（特許文献１）に記載されたものがある。該公報には、ＨＩＤランプの消費電力を一定に維持し、点灯効率の高いＨＩＤランプの点灯器を提供するために、ＨＩＤランプに流れるランプ電流と該ＨＩＤランプの両端電圧とから該ＨＩＤランプの消費電力を演算し、該演算結果と設定値との差に応じて該ＨＩＤランプへの供給電流値を制御するとしたマイコン利用のランプ点灯制御技術が記載されている。
【０００３】
【特許文献１】特開平５−７４５８３号公報
【発明の開示】
【発明が解決しようとする課題】
【０００４】
従来の液晶プロジェクタ等の映像表示装置においては、例えば、何らかの原因で異常が発生した場合には、一般に、保護機能が働いて保護動作を行い、放電ランプが消灯するが、該保護動作終了後に、該保護動作の原因を究明することは困難である。この点、上記特開平５−７４５８３号公報記載の技術においても同様である。
本発明の課題点は、上記従来技術の状況に鑑み、放電ランプ点灯装置またはこれを用いた映像表示装置において、放電ランプが消灯する保護動作が行われた場合にも、該保護動作の原因を正確かつ容易に究明できるようにすることである。
本発明の目的は、かかる課題点を解決し、使い勝手の良い放電ランプ点灯装置技術を提供することにある。
【課題を解決するための手段】
【０００５】
上記課題点を解決するために、本発明では、ＥＥＰＲＯＭなどの不揮発性のメモリを設け、保護動作期間を含む所定期間における放電ランプ点灯装置内の所定の回路ポイントの電圧情報や電流情報などを検出して該メモリ内に保存し、該所定期間の経過後にそれを読み出して解析する構成とする。
【発明の効果】
【０００６】
本発明によれば、放電ランプ点灯装置またはこれを用いた映像表示装置において、放電ランプを消灯させる保護動作の原因究明を正確かつ容易に行うことができる。
【発明を実施するための最良の形態】
【０００７】
以下、本発明の実施例につき、図面を用いて説明する。
図１〜図７は、本発明の実施例の説明図である。図１は、本発明の実施例としての投射型映像表示装置の構成図、図２は、本発明の実施例としての放電ランプ点灯装置の構成例図、図３は、図２の放電ランプ点灯装置の動作説明図、図４は、図２の放電ランプ点灯装置中の電力制御回路の出力電圧の観測結果例を示す図、図５は、メモリに保存する情報のマッピング手順例を示す図、図６は、放電ランプ及び放電ランプ点灯装置における各種の故障の説明図、図７は、放電ランプまたは放電ランプ点灯装置における故障状態の表示例を示す図である。図１の投射型映像表示装置には図２の放電ランプ点灯装置を用いる。
【０００８】
図１において、リフレクタ７７と放電ランプ１３は、映像表示素子７６の背面から光を照射する光源ユニットを構成している。映像表示素子７６を透過した光は、光学系７５によりスクリーン７４に投射される。映像表示素子７６は、例えば液晶パネルであり、映像信号に基づき駆動回路７９により駆動され、照射された光を該映像信号に対応し変調して光学像を形成する。該光学像はスクリーン７４上に拡大投射され、映像として映し出される。放電ランプ点灯装置８０は、上記放電ランプ１３の起動と点灯制御とを行う。
【０００９】
図２は、本発明の実施例として上記放電ランプ点灯装置８０の構成を示す。
図２において、１は電源入力端子、２はＭＯＳ−ＦＥＴ、３はダイオード、４はチョークコイル、５はコンデンサ、６、７は抵抗器、８、９、１０、１１はＭＯＳ−ＦＥＴ、１２は抵抗器、１３は放電ランプ、１４はイグナイタ回路、１５は演算処理回路、１８はＰＷＭ制御回路、１９は、ＰＷＭ制御回路１８のＯＮ／ＯＦＦ信号入力端子、２０は、ＰＷＭ制御回路１８の制御電圧入力端子、２１は、ＭＯＳ−ＦＥＴ２を駆動するドライブ回路、２２は、ＭＯＳ−ＦＥＴ８、９、１０、１１を駆動するドライブ回路、２３は、ドライブ回路２２のＯＮ／ＯＦＦ信号入力端子、２４、２５はドライブ回路２２の入力端子、２６は、放電ランプ１３の点灯を開始させる信号（以下、ランプオン信号という）を入力する端子、２７はシリアルデータ送信端子（以下、ＴＸＤという）、２８は、シリアルデータ受信端子（以下、ＲＸＤという）、２９は、不揮発性のメモリとしてのＥＥＰＲＯＭ、３０は、入力された電源側からの電力を制御して出力する電力制御回路、３１は、電力制御回路３０からの出力電力を交流変換する交流変換回路、３２は、当該放電ランプ点灯装置８０の温度を検知し対応する信号を出力する温度検知手段としてのサーミスタ、３３、３４は抵抗器である。イグナイタ回路１４は、交流変換回路３１の出力に基づき、放電ランプ１３の点灯を開始させるための高電圧パルスを発生する。演算処理回路１５は、電力制御回路３０からの出力電力に基づき、抵抗器６、７に発生する電圧からは出力電圧情報を検出し、抵抗器１２に発生する電圧からは放電ランプ１３の駆動電流情報を検出し、該検出した出力電圧情報と駆動電流情報とに基づき、電力制御回路３０のＰＷＭ制御回路１８を制御し、電力制御回路３０の出力電力が一定となるようにする。また、該演算処理回路１５は、電力制御回路３０への入力電力に基づき、抵抗器３３、３４に発生する電圧から、該電力制御回路３０の入力電圧情報を検出し、サーミスタ３２の出力信号からは放電ランプ点灯装置８０の温度、特に電力制御回路３０や交流変換回路３１の近傍の温度を検出する。電力制御回路３０は、ＭＯＳ−ＦＥＴ２、ダイオード３、チョークコイル４、コンデンサ５、ドライブ回路２１及びＰＷＭ制御回路１８を備えて構成され、交流変換回路３１は、ＭＯＳ−ＦＥＴ８、９、１０、１１及びドライブ回路２２を備えて構成される。
【００１０】
演算処理回路１５は、例えばマイコンで構成され、内蔵するアナログ・デジタル変換器ＡＤにより、抵抗器６、７で分圧した電圧からは、電力制御回路３０の出力電圧情報ＶＳを検出し、抵抗器１２で発生する電圧からは、放電ランプ１３の駆動電流情報としての出力電流情報ＩＳを検出し、抵抗器３３、３４で分圧した電圧からは、電力制御回路３０の入力電圧情報ＶＳ２を検出する。さらに、演算処理回路１５は、サーミスタ３２の出力信号ＴＳによっては、放電ランプ点灯装置８０の温度を監視する。演算処理回路１５は、また、上記出力電圧情報ＶＳ及び上記出力電流情報ＩＳの検出結果に基づき、電力制御回路３０の出力電力を演算して該出力電力が一定となるように、上記ＰＷＭ制御回路１８の制御電圧入力端子２０に制限電圧を与え、該ＰＷＭ制御回路１８を制御する。また、演算処理回路１５は、上記検出した情報を、演算処理回路１５内部で決定する諸制限値ＬＶ１（電力制御回路３０の出力電圧の制限値）、ＬＶ２（電力制御回路３０の出力電流の制限値）、ＬＶ３（放電ランプ点灯装置８０の温度の過熱制限値）、ＬＶ４（電力制御回路３０の入力電圧制限値）と比較する。比較の結果、検出情報としての電力制御回路３０の出力電圧情報ＶＳの電圧値がＬＶ１以上となった場合、検出情報としてのサーミスタ３２の出力信号ＴＳの値がＬＶ３以上となった場合、または、検出情報としての電力制御回路３０の入力電圧情報ＶＳ２の電圧値がＬＶ４以上となった場合には、演算処理回路１５は、放電ランプ点灯装置８０が点灯動作を停止するようにＰＷＭ制御回路１８のＯＮ／ＯＦＦ信号入力端子１９及びドライブ回路２２のＯＮ／ＯＦＦ信号入力端子２３に制御信号を伝達する。また、演算処理回路１５は、検出情報としての出力電流情報ＩＳの出力電流値がＬＶ２以上となった場合には、該出力電流が、制限値ＬＶ２で決定される電流値によって制限されるように、ＰＷＭ制御回路１８の制御電圧入力端子２０に制御電圧を与えることで該ＰＷＭ制御回路１８を制御する。
【００１１】
不揮発性のメモリとしてのＥＥＰＲＯＭ２９は、演算処理回路１５に接続され、該演算処理回路１５の指示に基づき、所定期間における上記電力制御回路３０の上記出力電圧情報または上記放電ランプ１３の上記駆動電流情報（＝上記出力電流情報）の少なくともいずれか、または、所定期間における上記電力制御回路３０の上記入力電圧情報、上記出力電圧情報、上記放電ランプ１３の上記駆動電流情報（＝上記出力電流情報）または上記サーミスタ３２の出力情報の少なくともいずれかを保存する。保存された情報の読み出しも、演算処理回路１５の指示に基づき行われる。
【００１２】
演算処理回路１５は、上記所定期間の経過後、上記ＥＥＰＲＯＭ２９から保存された情報を読み出し、該情報に基づき、該所定期間中の上記放電ランプ１３または当該放電ランプ点灯装置８０の状態を解析し判別する。
以下、図３〜図７の説明中で用いる上記図２の装置の構成要素には、図２の場合と同じ符合を付して用いる。
【００１３】
図３は、図２の放電ランプ点灯装置８０の動作説明図であり、放電ランプ点灯装置８０に電源電圧が印加され、ランプオン入力端子２６からの入力を受けてから、安定な点灯状態になるまでの電力制御回路３０の出力電圧の変化を示すタイミングチャートである。
【００１４】
図３において、ｓ１はランプオン信号であって、ランプオン入力端子２６の信号を示す。時点ｔ０でランプオン信号ｓ１が入力される（アクティブＨｉｇｈの状態にされる）と、該時点ではまだ放電ランプ１３が非点灯状態のために、電力制御回路３０からはその出力電圧として最大電圧Ｖ３が出力される。さらに、該最大電圧Ｖ３に、イグナイタ回路１４からの高電圧パルスが重畳されて電圧Ｖ４となり、該電圧Ｖ４が放電ランプ１３に印加されて、該放電ランプ１３が起動し点灯する。次に、放電ランプ１３では、時点ｔ１で高電圧・小電流のグロー放電が開始され、さらに時点ｔ２では低電圧・大電流のアーク放電に移行する。放電ランプ１３では、これら放電による温度上昇とともにランプ電圧も上昇する。さらに、時点ｔ３では交流変換回路３１の動作が開始され、放電ランプ１３はＡＣ点灯モードに移行する。その後、時点ｔ４で定常電圧Ｖ１になると、電力制御回路３０は、定電力制御により放電ランプ１３に一定電力を供給する。
【００１５】
以下、放電ランプ点灯装置８０の所定期間における動作状態の保存につき述べる。本実施例では該動作状態の観測（解析及び判別）を、電力制御回路３０の出力電圧情報ＶＳ、放電ランプ１３の駆動電流情報すなわち電力制御回路３０の出力電流情報ＩＳ、サーミスタ３２の出力信号ＴＳ、電力制御回路３０の入力電圧情報ＶＳ２のいずれかまたはこれらの組合わせに基づき、演算処理回路１５が行うものとする。
【００１６】
先ず、出力電圧情報ＶＳの観測方法について説明する。演算処理回路１５は、内部のアナログ・デジタル変換器ＡＤにより、出力電圧情報ＶＳをサンプリング間隔ＴでＡＤ変換し、例えば８ｂｉｔのデジタル値に変換する。図４は、出力電圧情報ＶＳの実測結果例を示す図であり、８ｂｉｔの出力電圧ＶＳをサンプリング間隔Ｔでプロットしてある。サンプリング間隔Ｔが例えば５０×１０−３ｓである場合には、図４は、５０×１０−３ｓ×２０＝１ｓ間の出力電圧情報ＶＳの波形を示すことになる。また、本図４は、時間ｔ＝１０の時点で放電ランプ１３の不具合によるランプ破裂が発生した際の波形例を示す。放電ランプ１３が破裂すると、放電ランプ１３の抵抗値は無限大となるため、出力電流ＩＳが流れなくなる。一方、演算処理回路１５は、この時、電力を一定に保つように作動するため、出力電圧ＶＳを上げるようにＰＷＭ制御回路１８を制御する。その結果、時間ｔ＝１０以降は、出力電圧ＶＳが出力電圧制限値ＬＶ１を超える。なお、図４には図示されていないが、出力電圧ＶＳがある一定期間にわたって出力電圧制限値ＬＶ１を超えた場合には、演算処理回路１５では保護機能が働いて保護動作を行い、ＰＷＭ制御回路１８及びドライブ回路２２の作動を停止させる。図４では該保護動作は、時間ｔ＝２１以降に行われる。図４のような波形の出力電圧情報がＥＥＰＲＯＭ２９に保存されると、演算処理回路１５は、保護動作期間後に、該ＥＥＰＲＯＭ２９から保存された出力電圧情報ＶＳを読み出し、これを解析し判別することで、該保護動作が行われた原因を正確かつ容易に究明することができる。すなわち、図４の結果からは、放電ランプ１３が破裂した可能性が高いと判別される。
【００１７】
次に、電力制御回路３０の出力電圧情報ＶＳの保存方法につき、以下に説明する。
図５は、ＥＥＰＲＯＭ２９への出力電圧情報ＶＳのデータのマッピング手順を示す図である。ＥＥＰＲＯＭ２９は、演算処理回路１５と接続されており、演算処理回路１５の指示に基づき、情報データの読み書きが可能な構成を有する。ＥＥＰＲＯＭ２９への情報データの読み書きは、例えば、データ線及びクロック線の２線によるシリアル通信を利用するものとする。特に、データ線は、ＥＥＰＲＯＭ２９、演算処理回路１５ともオープンコレクタ（もしくはオープンドレイン）端子を利用した入出力兼用にすることで、データの読み書きを行うことができる。この通信方法はＩ２Ｃバス形式など一般的なものであるため、これについての詳細な説明は省く。
【００１８】
先ず、図５（ａ）において、図４の時間ｔ＝０における出力電圧情報ＶＳのデータを、演算処理回路１５の指示に基づき、ＥＥＰＲＯＭ２９のアドレス［０］に書き込む。なお、時間ｔ＝０、すなわち最初に出力電圧情報ＶＳのデータの保存を開始するタイミングは、例えば図３のランプオン信号ｓ１がアクティブＨｉｇｈ状態となり、放電ランプ１３が点灯を開始した時点ｔ０や、電力が安定となった時点ｔ４などでよい。次に、図５（ｂ）において、図４の時間ｔ＝１における出力電圧情報ＶＳのデータを、演算処理回路１５の指示に基づき、ＥＥＰＲＯＭ２９のアドレス［１］に書き込む。以下、同様の動作を繰り返し、図５（ｃ）において、図４の時間ｔ＝２０における出力電圧情報ＶＳのデータを、演算処理回路１５の指示に基づき、ＥＥＰＲＯＭ２９のアドレス［２０］に書き込む。ここで、ＥＥＰＲＯＭ２９の利用可能なメモリ容量が限界値に達したとすると、図５（ｄ）のように、図４の時間ｔ＝２１における出力電圧情報ＶＳのデータをアドレス［０］に上書きする。ｔ＝０の出力電圧情報ＶＳのデータはこの時点でなくなる。次に、図５（ｅ）において、図４の時間ｔ＝２２における出力電圧情報ＶＳのデータを、ＥＥＰＲＯＭ２９のアドレス［１］に書き込み、以下、同様の動作を繰り返す。以上の書き込み動作により、最新の２０個の出力電圧情報ＶＳのデータを常にＥＥＰＲＯＭ２９内に保存しておくことができる。
【００１９】
ただし、後になって、演算処理回路１５の指示に基づき、このデータをＥＥＰＲＯＭ２９から読み出した際、どのアドレスのデータが最新のものか判らないため、最新のデータを保存しているアドレス値を別途アドレス［２１］に書き込む。例えば、図５（ｅ）では最新のデータがアドレス［１］に書き込まれるため、出力電圧情報ＶＳのデータをアドレス［１］に書き込むといっしょにアドレス［２１］に最新アドレス値（データ＝１）を書き込む。
【００２０】
上記各保存動作は、例えば、ランプオン信号ｓ１がアクティブＨｉｇｈの状態の期間のみ、すなわち放電ランプ１３が点灯している期間のみについて行い、Ｌｏｗの状態の期間すなわち放電ランプ１３が消灯している期間は保存動作を停止するようにする。またランプオン信号ｓ１がアクティブＨｉｇｈの状態にあっても、演算処理回路１５が何らかの異常を検知して放電ランプ１３を強制消灯した場合は、放電ランプ１３が消灯するまで保存動作を行い、消灯した後は、保存動作を停止する。
【００２１】
次に、出力電圧情報ＶＳの読み出し方法につき説明する。
演算処理回路１５の指示に基づくＥＥＰＲＯＭ２９からの出力電圧情報ＶＳの読み出しは、上記書き込みの場合と同じ経路のデータ線及びクロック線の２線によるシリアル通信により行う。該読み出しの場合の通信方法も、Ｉ２Ｃバス形式など一般的なものであるため、詳細な説明は省くとする。
【００２２】
次に、演算処理回路１５からの外部機器（図示なし）への出力電圧情報ＶＳの伝達は、ＲＸＤ端子２８やＴＸＤ端子２７を利用して行う。ＲＸＤ端子２８やＴＸＤ端子２７は、マイコンである演算処理回路１５には標準的に搭載されているＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）通信を行う通信端子であり、ＲＸＤ端子２８は外部機器からのコマンドの受信、ＴＸＤ端子２７は外部機器へのコマンドの送信を行う。この場合、演算処理回路１５と該外部機器との間の通信は、予めコマンド体系を決めておくことにより行う。例えば該外部機器からアドレス［０］の出力電圧情報ＶＳのデータを１つ読み出す場合は、先ず、読み出しコマンド（例えばＢ０Ｈ）をＲＸＤ端子２８経由で送信し、その後、アドレスコマンド（例えば００Ｈ）をＲＸＤ端子２８経由で送信すると、演算処理回路１５側から、データコマンド（任意の出力電圧データ）がＴＸＤ端子２７経由で送られる。なお、ＵＡＲＴ通信自体の仕様は一般的なものであるため、これについてもその詳細な説明は省く。
【００２３】
以上、電力制御回路３０の出力電圧情報ＶＳの観測、保存、読み出しにつき述べたが、出力電流情報ＩＳ、サーミスタ３２の出力信号ＴＳ、入力電圧情報ＶＳ２の観測、保存、読み出しについても同様である。
【００２４】
なお、出力電圧情報ＶＳ、出力電流情報ＩＳ、サーミスタ３２の出力信号ＴＳ及び入力電圧情報ＶＳ２を同時に保存する場合は、ＥＥＰＲＯＭ２９のアドレスマッピングを工夫すればよい。例えば、ＥＥＰＲＯＭ２９のアドレス［０］にｔ＝０の出力電圧情報ＶＳのデータ、アドレス［１］にｔ＝０の出力電流情報ＩＳのデータ、アドレス［２］にｔ＝０の出力信号ＴＳのデータ、アドレス［３］にｔ＝０の入力電圧情報ＶＳ２のデータをそれぞれ保存するとし、ＥＥＰＲＯＭ２９のアドレス［０］から［３］でｔ＝０のデータを保存する。同様に、ＥＥＰＲＯＭ２９のアドレス［４］から［７］でｔ＝１のデータを保存する。アドレス［８］以降でもこれを繰り返し、結局、ＥＥＰＲＯＭ２９のアドレス［７６］から［７９］でｔ＝２０のデータを保存する。最後のアドレス［８０］に最新アドレスを保存する。
【００２５】
図６は、放電ランプ１３及び放電ランプ点灯装置８０の各種の故障状態における各観測データの具体例を示す。図６には９種類の故障現象例を示し、それぞれの観測データに関する具体値例を示してある。なお、各故障現象には故障条件の異なるタイプも存在する。
【００２６】
以下、図６を用いて、上記９種類の故障現象例につき述べる。
（１）ランプ不点灯（全期間）
この現象は、ランプ消灯状態からランプスタートしているにも関わらずランプが点灯しない現象をいう。この現象には２種類の故障条件が存在する。一つは、ランプ電圧がＭＡＸ（例えば３６０Ｖ）となって過電圧保護が動作して放電ランプ１３が点灯しない場合で、その原因は例えば放電ランプ１３のシール部のクラック等により内部ガスがリークした場合や、ランプ点灯状態からランプ消灯した後すぐにランプスタートした場合（ホットスタート）などである。もう一つは、入力電圧が異常値を示して点灯しない場合で、その原因は例えば投射型映像表示装置の本体側の故障で入力電圧が定格（例えば２５０〜４００Ｖ）外の場合などである。
【００２７】
（２）ランプ不点灯（高圧後）
この現象は、ランプ消灯状態からランプスタートにより高圧パルスが発生し、いったんランプは点灯するが、通常の出力電圧にもどった瞬間、ランプが消灯する現象をいう。この現象には２種類の故障条件が存在する。一つは、ランプ電圧がＭＡＸ（例えば３６０Ｖ）となって過電圧保護が動作して点灯しない場合で、その原因は、例えばランプ点灯中に投射型映像表示装置側のＡＣ電源ケーブルが抜けて放電ランプ点灯装置の電源も瞬断してしまい、放電ランプ１３のカソードに水銀が多く付着してしまった場合や、放電ランプ１３の不具合による場合などである。もう一つは、入力電圧が異常値を示して点灯しない場合で、その原因は例えば、投射型映像表示装置本体側の故障で入力電圧が定格（例えば２５０〜４００Ｖ）外の場合などである。
【００２８】
（３）点灯中のランプ立ち消え
この現象は、放電ランプ１３が通常点灯している状態から突然消灯する現象をいう。この現象には３種類の故障条件が存在する。一つ目は、放電ランプ１３のランプ電圧が例えば１４０Ｖ以上となって過電圧保護が動作する場合で、その原因は例えば、放電ランプ１３の寿命によりランプ電極が劣化するなどしてランプ電圧が異常に上昇した場合などである。二つ目は、入力電圧が異常値を示した場合で、その原因は例えば、放電ランプ１３の点灯中に投射型映像表示装置側のＡＣ電源ケーブルが抜けて入力電圧が下がった場合などである。三つ目は、放電ランプ１３のランプ電圧が、例えば１０〜４０Ｖ下がり、場合によっては温度が上昇して過熱保護動作が行われる。原因は例えば、放電ランプ１３が異常に膨れることにより、放電ランプ１３の内圧が下がり、ランプ電圧が低下した場合などである
（４）ランプ破裂
この現象は、放電ランプ１３が通常点灯している状態から突然破裂する現象をいう。この現象には２種類の故障条件が存在する。一つは、放電ランプ１３のランプ電圧が正常値から例えば１４０Ｖ以上となって過電圧保護機能が動作する場合で、その原因は例えば、単なる放電ランプ１３の不良により該放電ランプ１３が破裂した場合などである。もう一つは、放電ランプ１３のランプ電流が異常増加した場合で、その原因は例えば放電ランプ点灯装置８０が何らかの故障で制御不能となり、放電ランプ１３に異常なランプ電流を流してしまった場合などである。
【００２９】
（５）低電圧保護
この現象は、出力電圧値が異常低下し、保護動作が行われる現象をいう。この現象の故障条件は、放電ランプ１３のランプ電圧が例えば１０Ｖ以下になることであり、この場合には、低電圧保護動作が行われる。その原因は例えば、放電ランプ１３の電極が水銀によりショートすることでランプ電圧が異常に低下した場合などである。なお、本現象の場合、放電ランプ１３に振動を与えれば回復することもある。
【００３０】
（６）フリッカ
この現象は放電ランプ１３が通常点灯している状態において輝度がふらつく現象をいう。この現象の故障条件は、放電ランプ１３のランプ電流や、該ランプ電流に周期的に重畳しているパルス電流が低下している場合で、その原因は例えば、放電ランプ点灯装置８０が何らかの故障でパルス電流を重畳できない場合などである。
【００３１】
（７）発熱
この現象は放電ランプ１３が通常点灯している状態において放電ランプ点灯装置８０が異常に熱くなる現象をいう。この現象には２種類の故障条件が存在する。一つは、サーミスタ３２が異常温度を検知し、過熱保護動作が行われた場合で、その原因は例えば、空冷用ファンが止まった場合などである。もう一つは、放電ランプ１３のランプ電圧が例えば４０Ｖ以下にまで下がった結果、過熱保護動作が行われた場合で、その原因は例えば放電ランプ１３自体の不良（ランプ不良）の場合などである。
【００３２】
（８）出力低下
この現象は放電ランプ１３が通常点灯している状態において輝度が低くなる現象をいう。この現象には２種類の故障条件が存在する。一つは、放電ランプ１３のランプ電流が低い場合で、その原因は例えば放電ランプ点灯装置８０が何らかの故障で電力を維持できなくなる場合などである。もう一つは、放電ランプ１３のランプ電流が低く、入力電圧も低い場合で、その原因は例えば、投射型映像表示装置本体側の故障で入力電圧が定格（例えば２５０〜４００Ｖ）以下の場合などである。
【００３３】
（９）ランプ寿命
この現象は、放電ランプ１３が通常点灯している状態において出力電圧が上限制限値を超える現象をいう。この現象の故障条件は、放電ランプ１３のランプ電圧が例えば１２０Ｖ以上の場合で、その原因は例えば放電ランプ１３が、寿命により末期状態にある場合などである。
【００３４】
投射型映像表示装置本体側のシステムマイコン（図示なし）は、ＵＡＲＴ通信経由で各観測データを解析し、その組み合せにより、どの故障状態なのかを判断することができる。この故障状態の判断結果は、文字や記号などによりユーザに知らせることができる。
【００３５】
図７は、故障状態の表示例を示す図である。図７（ａ）は故障状態を表示画像に加算する場合である。図７（ａ）において、７４は、表示部としてのスクリーン、７０は、スクリーン７４に投射表示された映像表示領域、７１は、駆動回路７９により映像表示領域７０に重畳された文字表示部である。文字表示部７１には、検出した「ランプ寿命」の旨の故障状態を表示させる。なお、故障状態の表示は、投射型映像表示装置本体内に表示部としての液晶やＬＥＤなどを設け、これにより、例えば図７（ｂ）のような表示を該投射型映像表示装置本体側で行うようにしてもよい。図７（ｂ）中、４０は、２値表示式の液晶素子であり、故障状態を数字で表現している。本図７（ｂ）の例では「ランプ寿命」を「Ｅ０９」としている。投射型映像表示装置本体での表示は、「ランプ不点灯」など放電ランプ１３が点灯できない場合において特に有効である。上記のように、スクリーン７４や投射型映像表示装置で故障状態の表示を行うことは、放電ランプ点灯装置８０を用いた投射型映像表示装置を扱うユーザに対しても、保護動作の原因を判り易く知らせることができ、該投射型映像表示装置の自己診断機能としても有用性が高い。なお、図６において、Ｎｏ．１の「ランプ不点灯」とＮｏ．２の「ランプ不点灯」は、その発生原因は異なるものの、故障条件は同じとなる場合がある。このような場合には、その故障内容を２つ以上に分けて表示させればよい。該表示を分ける場合、例えば図７（ｂ）に示す表示方式において、「Ｅ０１」の表示と「Ｅ０２」の表示をある周期で切り替えるなどすればよい。
【００３６】
上記本発明の実施例によれば、放電ランプ点灯装置８０を用いた映像表示装置において、保護機能が働いた時点を含め、それよりも前の期間の動作情報に基づき、装置の動作状態を解析・判別することができるため、該保護機能が働いた保護動作の原因を容易にかつ正確に究明することができる。
なお、上記実施例では不揮発性のメモリとしてＥＥＰＲＯＭ２９を使用したが、本発明はこれに限定されず、例えばフラッシュメモリなど他の不揮発性のメモリであってもよい。また、図２の構成では、不揮発性のメモリとしてのＥＥＰＲＯＭ２９を演算処理回路１５の外部に設ける構成としたが、演算処理回路１５内に内蔵させてもよい。また、上記実施例では、電力制御回路３０の出力電圧情報ＶＳ、電力制御回路３０の出力電流情報ＩＳ、サーミスタ２９の出力信号ＴＳ、電力制御回路３０の入力電圧情報ＶＳ２についての検出、保存、読み出し、解析・判別につき説明したが、本発明は、これに限らず、例えば出力電力など他の情報につき検出、保存、読み出し及び解析・判別を行うようにしてもよい。
【図面の簡単な説明】
【００３７】
【図１】本発明の実施例としての投射型映像表示装置の構成図である。
【図２】本発明の実施例としての放電ランプ点灯装置の構成例図である。
【図３】図２の放電ランプ点灯装置の動作説明図である。
【図４】図２の放電ランプ点灯装置中の電力制御回路の出力電圧の観測結果例を示す図である。
【図５】メモリに保存する情報のマッピング手順例を示す図である。
【図６】放電ランプ及び放電ランプ点灯装置における各種故障の説明図である。
【図７】放電ランプまたは放電ランプ点灯装置における故障状態の表示例を示す図である。
【符号の説明】
【００３８】
１…電源入力端子、
２、８、９、１０、１１…ＭＯＳ−ＦＥＴ、
３…ダイオード、
４…チョークコイル、
５…コンデンサ、
６、７、１２、３３、３４…抵抗器、
１３…放電ランプ、
１４…イグナイタ回路、
１５…演算処理回路、
１８…ＰＷＭ制御回路、
１９、２３…ＯＮ／ＯＦＦ信号入力端子、
２１、２２…ドライブ回路、
２６…ランプオン信号入力端子、
２７…シリアルデータ送信端子、
２８…シリアルデータ受信端子、
２９…ＥＥＰＲＯＭ、
３０…電力制御回路、
３１…交流変換回路、
３２…サーミスタ、
４０…液晶素子、
７０…映像表示領域、
７１…文字表示部、
７４…スクリーン、
７５…光学系、
７６…映像表示素子、
７７…リフレクタ、
７９…駆動回路、
８０…放電ランプ点灯装置。
【図１】
2006164698.tif 000003
【図２】
2006164698.tif 000004
【図３】
2006164698.tif 000005
【図４】
2006164698.tif 000006
【図５】
2006164698.tif 000007
【図６】
2006164698.tif 000008
【図７】
2006164698.tif 000009